(57)【要約】【課題】  電気の盗難を低減するとともに、電気自動車および電気機器の両方が使用できる屋外用コンセントシステムを提供することができなかった。【解決手段】  電源から給電線２１を経由して給電されプラグＰを抜き差しするプラグ受け部３１、給電線２１の途中に接続され継電および遮断のいずれかを行う継電器６３を有し、ＩＤタグ７９、ＩＤタグ７９の情報を読み取るＲＦＩＤ用読み書き装置７７、ＲＦＩＤ用読み書き装置７７に予め登録された情報とＩＤタグ７９の情報を比較してプラグ受け部３１への通電を制御する制御装置６１を備え、ＩＤタグ７９の情報が、ＲＦＩＤ用読み書き装置７７に予め登録された通電許可情報である場合には、制御装置６１がプラグ受け部３１へ給電するように継電器６３を制御する。【選択図】        図１
2011138792.tif 000002
【特許請求の範囲】
【請求項１】
電源から給電線を経由して給電されプラグを抜き差しするプラグ受け部と、
前記給電線の途中に接続され継電および遮断のいずれかを行う継電器と、
を有しており、
所定のＩＤタグと、
前記ＩＤタグの情報を読み取るＩＤ情報取得手段と、
前記ＩＤ情報取得手段に予め登録された情報と前記ＩＤタグの情報を比較して前記プラグ受けへの通電を制御する制御手段と、
を備えており、
前記ＩＤタグの情報が、前記ＩＤ情報取得手段に予め登録された通電許可情報である場合には、前記制御手段が前記プラグ受けへ給電するように前記継電器を制御し、
前記ＩＤタグの情報が、前記ＩＤ情報取得手段に予め登録された通電許可情報でない場合には、前記制御手段が前記プラグ受けへの給電を遮断するように前記継電器を制御することを特徴とする屋外用コンセントシステム。
【請求項２】
電源から給電線を経由して給電されプラグを抜き差しするプラグ受けと、
前記給電線の途中に接続され継電および遮断のいずれかを行う継電器と、
を有しており、
所定の磁気情報記憶体と、
前記磁気情報記憶体の情報を読み取る磁気情報取得手段と、
前記磁気情報取得手段に予め登録された情報と前記磁気情報記憶体の情報を比較して前記プラグ受けへの通電を制御する制御手段と、
を備えており、
前記磁気情報記憶体の情報が、前記情報取得手段に予め登録された通電許可情報である場合には、前記制御手段が前記プラグ受けへ給電するように前記継電器を制御し、
前記磁気情報記憶体の情報が、前記情報取得手段に予め登録された通電許可情報でない場合には、前記制御手段が前記プラグ受けへの給電を遮断するように前記継電器を制御することを特徴とする屋外用コンセントシステム。
【請求項３】
請求項１に記載のＩＤタグおよびＩＤ情報取得手段に代えて、数字および英文字の少なくとも１つを入力する入力装置を備えており、
前記入力装置に入力される数字および英文字の少なくとも１つが所定の入力であった場合には、前記制御手段が前記プラグ受けへ給電するように前記継電器を制御し、
前記入力装置に入力される数字および英文字の少なくとも１つが所定の入力でない場合には、前記制御手段が前記プラグ受けへの給電を遮断するように前記継電器を制御することを特徴とする屋外用コンセントシステム。
【発明の詳細な説明】
【技術分野】
【０００１】
本発明は、プラグインハイブリット車、プラグイン電気自動車、自動販売機、カーポートの照明、芝刈り機等の電気機器等に対する電気供給のために、屋外壁面等に固定される屋外用コンセントに関するものである。
【背景技術】
【０００２】
近年、プラグインハイブリット自動車、プラグイン電気自動車が開発され、上記自動車は、屋外壁面等に固定される屋外コンセントから給電することが可能になった。しかし、上記屋外コンセントは盗電に合い易く、その対策の一例として、屋内に設置された遮断器（例えば、ノーヒューズ配線用遮断器）をいちいち遮断することが必要であった。そこで、遮断器を遮断せずとも、盗電を防止するものが特許出願されている。上記遮断器は、通常、屋内に設置されている。
【０００３】
例えば、屋外壁面に固定される取付プレートと、電源プラグ差し込み口を取り込む庇部を有し、取付プレートを方位する防水部材で水封されて、取付プレートに対してねじ止めされるコンセント本体と、電源プラグ差し込み口に差し込まれた電源プラグを包囲するための盗電防止カバーと、取付プレートにおけるコンセント本体ねじ止め用のねじ孔を利用して盗電カバをコンセント本体に取り外し可能に止着するカバー止着手段を備えたものが出願されている。（例えば、特許文献１参照）。
【０００４】
上記特許文献１のものは、カバーを六角ボルトで止着するか、あるいは凹部が形成されたカバーをボルトで止着した後に、コルクなどからなる栓体で凹部に圧入するか、あるいは凹部が形成されたカバーに弾性係止片を設け、この弾性係止片に栓体を圧入するようにしている。
【０００５】
また、車両用バッテリに充電を行うとき、電力線を使って充電制御ＥＣＵとＩＤボックスとの間で認証を行い、認証が成立することを条件にバッテリへの充電を許可するものが出願されている。（例えば、特許文献２参照）。
【先行技術文献】
【特許文献】
【０００６】
【特許文献１】特開２００５−２５９４１１号公報
【特許文献２】特開２００８−６１４３２号公報
【発明の概要】
【発明が解決しようとする課題】
【０００７】
しかし、特許文献１の野外コンセント用の盗難防止装置は、カバーを六角ボルトで止着する場合では、市販されている六角レンチを用いて屋外側から容易に六角ボルト、カバーを取り外すことができる。また、凹部が形成されたカバーをボルトで止着した後にコルクなどからなる栓体で凹部に圧入する場合においても、鋭利な刃具、ドライバ等で栓体を外すことは容易であり、屋外側から容易に栓体、六角ボルト、カバーを取り外すことができる。さらに、凹部が形成されたカバーに弾性係止片を設け、この弾性係止片に栓体を圧入するようにした場合も、同様に、栓体を容易に取り外すことができる。このため、上記いずれの場合も、盗電が容易に行える問題点があった。
【０００８】
また、特許文献２の充電システムは、充電制御ＥＣＵとＩＤボックスとの間で認証を行うことで盗電を防止するものであるが、他の電気機器（例えば、自動販売機、カーポートの照明、芝刈り機、電気自動車用蓄電池に充電する充電装置等）を使用することができなかった。
【０００９】
本発明は上記点に鑑み、電気の盗難を低減するとともに、電気自動車および電気機器の両方が使用できる屋外用コンセントシステムを提供することを目的とする。
【課題を解決するための手段】
【００１０】
請求項１に記載の発明では、電源から給電線を経由して給電されプラグを抜き差しするプラグ受けと、
給電線の途中に接続され継電および遮断のいずれかを行う継電器と、
を有しており、
所定のＩＤタグと、
ＩＤタグの情報を読み取るＩＤ情報取得手段と、
ＩＤ情報取得手段に予め登録された情報とＩＤタグの情報を比較してプラグ受けへの通電を制御する制御手段と、
を備えており、
ＩＤタグの情報が、ＩＤ情報取得手段に予め登録された通電許可情報である場合には、制御手段がプラグ受けへ給電するように継電器を制御し、
ＩＤタグの情報が、ＩＤ情報取得手段に予め登録された通電許可情報でない場合には、制御手段がプラグ受けへの給電を遮断するように継電器を制御することを特徴とする。
【００１１】
これによれば、ＩＤタグの情報が、情報取得手段に予め登録された通電許可情報である場合には、制御手段がプラグ受けへ給電するように継電器を制御することができる。また、ＩＤタグの情報が、情報取得手段に予め登録された通電許可情報でない場合には、制御手段がプラグ受けへの給電を遮断するように継電器を制御して、電気の盗難を低減することができる。また、この構成では、ＩＤタグ、ＩＤ情報取得手段を電気車両、電気機器に設けずとも、通電、遮断を行うことができる。
【００１２】
その結果、電気の盗難を低減するとともに、電気自動車および電気機器の両方が使用できる屋外用コンセントを提供することができる。
【００１３】
請求項２に記載の発明では、電源から給電線を経由して給電されプラグを抜き差しするプラグ受けと、
給電線の途中に接続され継電および遮断のいずれかを行う継電器と、
を有しており、
所定の磁気情報記憶体と、
磁気情報記憶体の情報を読み取る磁気情報取得手段と、
磁気情報取得手段に予め登録された情報と磁気情報記憶体の情報を比較してプラグ受けへの通電を制御する制御手段と、
を備えており、
磁気情報記憶体の情報が、情報取得手段に予め登録された通電許可情報である場合には、制御手段がプラグ受けへ給電するように継電器を制御し、
磁気情報記憶体の情報が、情報取得手段に予め登録された通電許可情報でない場合には、制御手段がプラグ受けへの給電を遮断するように継電器を制御することを特徴とする。
【００１４】
これによれば、磁気情報記憶体の情報が、磁気情報取得手段に予め登録された通電許可情報である場合には、制御手段がプラグ受けへ給電するように継電器を制御することができる。また、磁気情報記憶体の情報が、磁気情報取得手段に予め登録された通電許可情報でない場合には、制御手段がプラグ受けへの給電を遮断するように継電器を制御することができるので、電気の盗難を低減することができる。また、この構成では、磁気情報記憶体、磁気情報取得手段を電気車両、電気機器に設けずとも、通電、遮断を行うことができる。
【００１５】
その結果、電気の盗難を低減するとともに、電気自動車および電気機器の両方が使用できる屋外用コンセントを提供することができる。
【００１６】
請求項３に記載の発明のように、請求項１に記載のＩＤタグおよびＩＤ情報取得手段に代えて、数字および英文字の少なくとも１つを入力する入力装置を備えており、
入力装置に入力される数字および英文字の少なくとも１つが所定の入力であった場合には、制御手段がプラグ受けへ給電するように継電器を制御し、
入力装置に入力される数字および英文字の少なくとも１つが所定の入力でない場合には、制御手段がプラグ受けへの給電を遮断するように継電器を制御してもよい。
【図面の簡単な説明】
【００１７】
【図１】本発明の第１実施形態による屋外用コンセントの正面図である。
【図２】本発明の第１実施形態によるカードの正面図である。
【発明を実施するための最良の形態】
【００１８】
（第１実施形態）
本発明のコンセントシステムは、図１に示すように、屋外用コンセント１１、制御装置６１、継電器６３、ＲＦＩＤ用読み書き装置７７を備えている。
【００１９】
屋外用コンセント１１のコンセント本体部１７には、図示しない係止手段により、プラグ受け部３１が係止されている。このプラグ受け部３１には、電源プラグ差込口３１ａが形成されるとともに、２極プラグ受け３１ｂ、２極接地極付プラグ受け３１ｃが備えられている。
【００２０】
２極接地極付プラグ受け３１ｃは、コンセント本体部１７内で２極プラグ受け３１ｂと並列接続されている。
【００２１】
継電器６３は、給電線２１の途中に設けられており、制御装置６１により制御される。
プラグ受け部３１に給電するように、制御装置６１が継電器６３を制御すると、主配線用遮断器５３、子配線用遮断器５５を経由して供給される電力が、プラグ受け部３１に給電される。
【００２２】
ＲＦＩＤ用読み書き装置７７は、後述するＩＤタグ７９に対して電源を供給するとともに、情報の送受信を行うアンテナ部７７ａと、通信内容の変換や制御装置６１との通信を行う制御部７７ｂから構成されている。ＲＦＩＤ用読み書き装置７７への送電は、直流電源によってなされている。上記ＲＦＩＤ用読み書き装置７７は、本発明のＩＤ情報取得手段を構成する。ＦＩＤ用読み書き装置およびＩＤタグは、ＲＦＩＤ（Ｒａｄｉｏ  Ｆｒｅｇｕｅｎｃｙ  Ｉｄｅｎｔｉｆｉｃａｔｉｏｎ）を構成する。
【００２３】
一方、読み取り対象となるＩＤタグ７９は、図２に示すように、カード８１に内蔵されており、メモリとして機能するＩＣチップ部７９ａと通信内容の変換等を行う制御部７９ｂ、ＩＣチップ部７９ａに電源を供給するとともに情報の送受信用のアンテナとして機能するアンテナ部７９ｃから構成されている。
【００２４】
上記位置情報の読み取りは、次の順序で行われる。第１に、ＲＦＩＤ用読み書き装置７７側のアンテナ部７７ａと、ＩＤタグ７９のアンテナ部７９ｃとが通信できるように、カード８１をＲＦＩＤ用読み書き装置７７に近づける。その際、ＲＦＩＤ用読み書き装置７７側のアンテナ部７７ａから制御信号を含む所定の電波が発信される。第２に、ＩＤタグ７９側のアンテナ部７９ｃが、ＲＦＩＤ用読み書き装置７７からの所定の電波を受信する。その際、ＩＤタグ７９のアンテナ部７９ｃの共振作用により起電力が発生し、ＩＣチップ部７９ａが起動される。第３に、ＩＣチップ部７９ａに記憶された情報を、変調した搬送波に乗せ、ＩＤタグ７９側のアンテナからＲＦＩＤ用読み書き装置７７のアンテナ部７７ａに送信する。第４に、ＲＦＩＤ用読み書き装置７７のアンテナ部７７ａで受信した情報を、ＲＦＩＤ用読み書き装置７７の制御部７７ｂで所定のデータに変換し、制御装置６１へ送信する。
【００２５】
制御装置６１では、ＩＣチップ部７９ａに記憶された情報が、ＲＦＩＤ用読み書き装置７７に予め登録された特有のデータであることを確認する。制御装置６１は、ＩＣチップ部７９ａに記憶された情報が登録した特有のデータである場合にのみ、２極プラグ受け３１ｂ、２極接地極付プラグ受け３１ｃに給電するように、継電器６３を制御する。
【００２６】
上記構成によれば、盗電をしようとする者は、仮に同様のカードを持っていたとしても、上記特有のデータを知り得ず、カード８１も所持していないので、盗電を防止することができる。また、従来技術のように、充電制御ＥＣＵとＩＤボックスとの間で認証を行うことなく、ＩＣチップ部７９ａに記憶された情報が、ＲＦＩＤ用読み書き装置７７に予め登録された特有のデータであることを確認して通電、遮断を行うので、電気自動車だけでなく、電気機器にも給電をすることができる。
【００２７】
（第２実施形態）
第１２実施形態では、ＲＦＩＤタグの情報をＲＦＩＤ用読み書き装置で読み取り、制御装置で継電器を制御するようにしたが、特定の情報が磁気データとして記憶された磁気カードと、上記磁気カードを読み取る磁気データ読み取り装置とを備え、磁気カードの磁気データを読み取り、制御装置で継電器を制御するようにしてもよい。上記磁気カードは、本発明の磁気情報記憶体を、上記磁気データ読み取り装置は、本発明の磁気情報取得手段を構成する。
【００２８】
（その他の実施形態）
ＲＦＩＤタグは、カードに内蔵されたが、電気自動車のキー、プラグ、携帯電話に内蔵されてもよい。また、ＥＴＣ装置のカード読み取り装置またはＥＴＣ装置のカードと、屋外用コンセントシステムに備えられた制御装置（例えば上述した制御装置）との間で特定の情報を認証して給電するようにしてもよい。電気自動車に備えられたＥＴＣ装置を利用することにより、コストの低減を図ることができる。また、第１実施形態におけるコンセント本体部、ＲＦＩＤ用読み書き装置は、一体に構成されていてもよい。
【００２９】
また、数字または英文字を入力する入力装置を備え、所定の入力があった場合に制御装置で継電器を制御するようにしてもよい。上記入力装置の操作部は、キーでもよく、タッチパネルであってもよい。
【００３０】
なお、屋外用コンセントに供給する電力は、太陽電池で発電した電力を用いてもよい。
【符号の説明】
【００３１】
１１・・・ 屋外用コンセント
１７・・・コンセント本体部
２１・・・給電線
３１・・・プラグ受け部
３１ａ・・・電源プラグ差込口
３１ｂ・・・２極プラグ受け
３１ｃ・・・２極接地極付プラグ受け
５３・・・主配線遮断器
５５・・・子配線遮断器
６１・・・制御装置
６３・・・継電器
７７・・・ＲＦＩＤ用読み書き装置
７７ａ・・・アンテナ部
７７ｂ・・・制御部
７９・・・ＩＤタグ
７９ａ・・・ＩＣチップ部
７９ｂ・・・制御部
７９ｃ・・・アンテナ部
８１・・・カード
Ｐ・・・電源プラグ
【図１】
2011138792.tif 000003
【図２】
2011138792.tif 000004